(57)【特許請求の範囲】
【請求項１】
溶解モジュール内に設けられたチューブの中を流れる純水にオゾンガスを溶解させることによりオゾン水を製造するオゾン水製造装置において、上記溶解モジュールのオゾンガス出口側に圧力調整装置を設けるとともに、上記溶解モジュール内に溜ったドレン水の排出配管に第１のドレンバルブと第２のドレンバルブを設けたことを特徴とするオゾン水製造装置。
【請求項２】
第１及び第２のドレンバルブとして自動バルブを使用すると共に、第１のドレンバルブの上流側に上記第１及び第２のドレンバルブを自動的に連動させる水位検知器を設けたことを特徴とする請求項１記載のオゾン水製造装置。
【請求項３】
第１のドレンバルブと第２のドレンバルブとの間にタンクを設けたことを特徴とする請求項１又は請求項２記載のオゾン水製造装置。
【請求項４】
タンクを透明に形成したことを特徴とする請求項３記載のオゾン水製造装置。
【請求項５】
ドレン水の排出配管を透明に形成したことを特徴とする請求項１から請求項４のいずれか１項に記載のオゾン水製造装置。
【請求項６】
溶解モジュール内に設けられたチューブの中を流れる純水にオゾンガスを溶解させることによりオゾン水を製造するオゾン水製造装置において、上記溶解モジュールのオゾンガス出口側に圧力調整装置を設けるとともに、上記溶解モジュール内に溜ったドレン水の排出配管にニードル付ボール弁を設けたことを特徴とするオゾン水製造装置。
【請求項７】
ドレン排出口を溶解モジュールの底部に設けると共に、レベルスイッチを上記溶解モジュールのチューブが設けられている範囲よりも下部に設けたことを特徴とする請求項１から請求項６のいずれか１項に記載のオゾン水製造装置。
【発明の詳細な説明】
【０００１】
【発明の属する技術分野】
この発明は、純水からオゾン水を製造するオゾン水製造装置に関するものである。
【０００２】
【従来の技術】
図８は従来のオゾン水製造装置を示す構成図、図９は同じくオゾン水製造装置の溶解モジュールを示す斜視図である。図において、２１はオゾン発生装置、２２は溶解モジュール、２３はオゾンガス入口、２４はオゾンガス出口、２５はドレン水排出口、２６はドレンバルブ、２７は中に純水が通過できるようになっている中空糸製のチューブである。
【０００３】
次に動作について説明する。オゾン発生装置２１により生成されたオゾンガスは、オゾンガス入口２３を介して溶解モジュール２２内に入り、チューブ２７内に浸透して、チューブ２７内の純水に溶解しオゾン水を生成する。そして余ったオゾンガスはオゾンガス出口２４を介して外部に送出される。
この際、実際にはチューブ２７内の純水は拡散し、チューブ２７外に出てしまい、このままではオゾン水濃度が低下するので、ドレン水を抜く必要が生じる。そこでドレンバルブ２６を開にすることよりドレン水を系外へ抜くようにしている。
【０００４】
【発明が解決しようとする課題】
従来のオゾン水製造装置は以上のように構成されており、オゾン水濃度の安定化の要因として、オゾンガス濃度と溶解モジュール内圧力の二要素があったが、従来ではモジュール内のガス圧力を一定に保つことができず、オゾン水濃度を安定化させることができないという問題点があった。
【０００５】
又、オゾンは毒性が強く人体に悪影響を及ぼすため、ドレン水を抜くときにはオゾンガスを漏らさずに抜くことを要するが、そのためにはドレン水を抜く時にオゾン水製造装置を一旦停止させる必要が生じるので、連続運転ができないという問題点があった。
【０００６】
更に、従来では溶解モジュール内にドレン水が溜ってしまいオゾン水濃度が低下するので、バルブを開けることによりドレン水を抜いていたが、このときオゾンガスも同時に抜けることにより、溶解モジュール内の圧力が下がり、オゾン水濃度が同時に低下してしまうという問題点もあった。
【０００７】
この発明は上記のような問題点を解消するためになされたものであり、溶解モジュール内のガス圧力を一定に保つことができると共に、オゾンガスを漏らさずにドレン水を抜くことにより、装置の連続運転が可能となるオゾン水製造装置を提供することを目的とする。
【０００８】
【課題を解決するための手段】
この発明の請求項１に係るオゾン水製造装置は、溶解モジュール内に設けられたチューブの中を流れる純水にオゾンガスを溶解させることによりオゾン水を製造するものであって、溶解モジュールのオゾンガス出口側に圧力調整装置を設けるとともに、溶解モジュール内に溜ったドレン水の排出配管に第１のドレンバルブと第２のドレンバルブを設けたものである。
【０００９】
この発明の請求項２に係るオゾン水製造装置は、第１及び第２のドレンバルブとして自動バルブを使用すると共に、第１のドレンバルブの上流側に第１及び第２のドレンバルブを自動的に連動させる水位検知器を設けたものである。
【００１０】
この発明の請求項３に係るオゾン水製造装置は、第１のドレンバルブと第２のドレンバルブとの間にタンクを設けたものである。
【００１１】
この発明の請求項４に係るオゾン水製造装置は、タンクを透明に形成したものである。
【００１２】
この発明の請求項５に係るオゾン水製造装置は、ドレン水の排出配管を透明に形成したものである。
【００１３】
この発明の請求項６に係るオゾン水製造装置は、溶解モジュール内に設けられたチューブの中を流れる純水にオゾンガスを溶解させることによりオゾン水を製造するものであって、溶解モジュールのオゾンガス出口側に圧力調整装置を設けるとともに、溶解モジュール内に溜ったドレン水の排出配管にニードル付ボール弁を設けたものである。
【００１４】
この発明の請求項７に係るオゾン水製造装置は、ドレン排出口を溶解モジュールの底部に設けると共に、レベルスイッチを溶解モジュールのチューブが設けられている範囲よりも下部に設けたものである。
【００１５】
【発明の実施の形態】
実施の形態１．
以下、この発明の一実施形態を図について説明する。図１はこの発明の実施の形態１による従来のオゾン水製造装置を示す構成図、図２は同じくオゾン水製造装置の溶解モジュールを示す斜視図である。図において、１はオゾン発生装置、２は溶解モジュール、３はオゾンガス入口、４はオゾンガス出口、５はドレン水排出口、６はドレン水排出配管に設けられた第１のドレンバルブ、７は同じく第２のドレンバルブ、８は圧力調整装置、９は中に純水が通過できるようになっている中空糸製のチューブである。
【００１６】
次に動作について説明する。オゾン発生装置１により生成されたオゾンガスは、オゾンガス入口３を介して溶解モジュール２内に入り、チューブ９内に浸透して、チューブ９内の純水に溶解しオゾン水を生成する。そして余ったオゾンガスはオゾンガス出口４を介して外部に送出される。
本実施形態においては、圧力調整装置８によって、溶解モジュール２内のガス圧力を一定に保つことができるので、オゾン水濃度を一定に保つことができる。
【００１７】
又、実際にはチューブ９内の純水は拡散し、チューブ９外に出てしまい、このままではオゾン水濃度が低下するので、ドレン水を抜く必要が生じるが、本実施形態においては、常時は第１のドレンバルブ６は「開」の状態に、第２のドレンバルブ７は「閉」の状態にしておき、水位がドレンバルブ６を超えるとバルブ６を「閉」、バルブ７を「開」にして、バルブ６，７の間に溜ったドレン水のみ排出するようにする。このようにすることにより、ドレン水の水位は排水時には常にバルブ６の上にあることになり、オゾンガスがドレン水と共に排出されることがなく、装置の連続運転が可能となる。
又、オゾンガスの排出を防ぐことができるので、ガス圧の低下を防ぐことができ、オゾン水の高濃度を保つことができる。
【００１８】
更に、溶解モジュール２内の圧力低下の原因としては、オゾンガスの排出と、圧力調整装置８が原因であることの２点があるが、本実施形態においては、従来のようにドレン水と同時にオゾンガスが排出されることがなくなるので、圧力低下の原因を圧力調整装置８に特定し易くなる。
【００１９】
実施の形態２．
上記実施の形態１においては、手動でバルブの開閉を行なう場合について説明したが、図３に示すように、自動バルブ６，７と水位検知器１０を使用し、自動で動作させてもよい。即ち、水位検知器１０により第１のドレンバルブ６よりも水位が上にあるか否かを検知し、上にあれば自動的に第１のドレンバルブ６を「閉」、第２のドレンバルブを「開」にしてドレン水のみを排出する。このようにすることにより動作の簡略化を図ることができる。
【００２０】
実施の形態３．
本実施形態においては、図４に示すように、第１のドレンバルブ６と第２のドレンバルブ７との間にタンク１１を設けるものである。このようにタンク１１を設けることにより、溜るドレン水量を増大させることができるので、バルブの動作回数を減らすことができる。
【００２１】
実施の形態４．
上記実施の形態３で示したタンク１１を透明に形成することもできる。これにより水位を確認し易くなるので、手動で動作するときに目安となる。
【００２２】
実施の形態５．
本実施形態においては、図５に示すようにバルブをつなぐ配管１２を透明にするものである。このように配管１２を透明にすると水位が見やすくなり、動作時期が判別し易く、バルブ開閉タイミングを容易に知ることができるようになる。
【００２３】
実施の形態６．
本実施形態においては、図６に示すように、バルブ６，７を使用する代わりにニードル付ボール弁１３を用いたものである。このようにニードル付ボール弁１３を使うことにより、水位がＨ以上になった場合のみドレン水が排出されるので、オゾンガスが同時に排出されることがなく、上記実施の形態と同様の効果を奏することができる。
【００２４】
実施の形態７．
従来例並びに上記実施形態においては、ドレン水排出口５を溶解モジュール２の側面に設けた場合を示したが、ドレン水排出口５よりも下にチューブ９が存在している場合、ドレン水でチューブ９が濡れてしまうことによってオゾン水濃度が低下するとともに装置の特性が低下する。
そこで本実施形態においては、図７に示すようにドレン排出口１４を溶解モジュール２の底部に設けると共に、レベルスイッチ１５をチューブ９が設けられている範囲ａよりも下部に設け、ドレン水位がレベルスイッチ１５に達したときドレン水を抜くようにすることもできる。これによりチューブ９がドレン水に濡れなくなるので、オゾン水濃度が下がらず、装置の特性の劣化を防ぐことができる。
【００２５】
【発明の効果】
この発明の請求項１に係るオゾン水製造装置によれば、溶解モジュール内に設けられたチューブの中を流れる純水にオゾンガスを溶解させることによりオゾン水を製造するものであって、溶解モジュールのオゾンガス出口側に圧力調整装置を設けるとともに、溶解モジュール内に溜ったドレン水の排出配管に第１のドレンバルブと第２のドレンバルブを設けたので、溶解モジュール内のガス圧力を一定に保つことができ、オゾン水濃度を一定に保つことができるとともに、オゾンガスがドレン水と共に排出されることがなく、装置の連続運転が可能となる。
【００２６】
この発明の請求項２に係るオゾン水製造装置によれば、第１及び第２のドレンバルブとして自動バルブを使用すると共に、第１のドレンバルブの上流側に第１及び第２のドレンバルブを自動的に連動させる水位検知器を設けたので、動作の簡略化を図ることができる。
【００２７】
この発明の請求項３に係るオゾン水製造装置によれば、第１のドレンバルブと第２のドレンバルブとの間にタンクを設けたので、ドレン水の貯水量を増やすことにより、バルブの動作回数を減らすことができる。
【００２８】
この発明の請求項４に係るオゾン水製造装置によれば、タンクを透明に形成したので、水位を確認し易くなり、手動で動作するときの目安となる。
【００２９】
この発明の請求項５に係るオゾン水製造装置によれば、ドレン水の排出配管を透明に形成したので、水位が見やすくなり、動作時期が判別し易く、バルブ開閉タイミングを容易に知ることができる。
【００３０】
この発明の請求項６に係るオゾン水製造装置によれば、溶解モジュール内に設けられたチューブの中を流れる純水にオゾンガスを溶解させることによりオゾン水を製造するものであって、溶解モジュールのオゾンガス出口側に圧力調整装置を設けるとともに、溶解モジュール内に溜ったドレン水の排出配管にニードル付ボール弁を設けたので、オゾンガスがドレン水と共に排出されることがなく、装置の連続運転が可能となる。
【００３１】
この発明の請求項７に係るオゾン水製造装置によれば、ドレン排出口を溶解モジュールの底部に設けると共に、レベルスイッチを溶解モジュールのチューブが設けられている範囲よりも下部に設けたので、チューブがドレン水に濡れることがなく、オゾン水濃度が下がらず装置の特性の劣化を防ぐことができる。
【図面の簡単な説明】
【図１】  この発明の実施の形態１によるオゾン水製造装置を示す構成図である。
【図２】  この発明の実施の形態１によるオゾン水製造装置の溶解モジュールを示す斜視図である。
【図３】  この発明の実施の形態２によるオゾン水製造装置を示す構成図である。
【図４】  この発明の実施の形態３によるオゾン水製造装置のバルブ部を示す構成図である。
【図５】  この発明の実施の形態５によるオゾン水製造装置のバルブ部を示す構成図である。
【図６】  この発明の実施の形態６によるオゾン水製造装置のバルブ部を示す構成図である。
【図７】  この発明の実施の形態７によるオゾン水製造装置を示す構成図である。
【図８】  従来のオゾン水製造装置を示す構成図である。
【図９】  従来のオゾン水製造装置の溶解モジュールを示す斜視図である。
【符号の説明】
２  溶解モジュール、４  オゾンガス出口、６  第１のドレンバルブ、
７  第２のドレンバルブ、８  圧力調整装置、９  チューブ、１０  水位検知器、
１１  タンク、１２  排出配管、１３  ニードル付ボール弁、１４  ドレン排出口、
１５  レベルスイッチ。
【図１】
0003657429.tif 000002
【図２】
0003657429.tif 000003
【図３】
0003657429.tif 000004
【図４】
0003657429.tif 000005
【図５】
0003657429.tif 000006
【図６】
0003657429.tif 000007
【図７】
0003657429.tif 000008
【図８】
0003657429.tif 000009
【図９】
0003657429.tif 000010